(57)【特許請求の範囲】
【請求項１】
基地局であって、
一つ又はそれ以上のサブフレームで少なくとも一つの基準信号を伝送する回路網を含むダウンリンク送信経路として、前記サブフレームの各々は二つのスロットを含み、前記スロットの各々はＳ個のＯＦＤＭ(Orthogonal Frequency Division Multiplexing)シンボルを含み、前記Ｓ個のＯＦＤＭシンボルの各々はＮ個の副搬送波を含み、各ＯＦＤＭシンボルの各副搬送波はリソース要素を構成するダウンリンク送信経路と、
階層個数が予め設定された個数より小さいか同一である場合、第１のセットの少なくとも一つのアンテナポートのために二つの直交コードのうち少なくとも一つの直交コードを適用し、前記階層個数が前記予め設定された個数より大きい場合、追加的に第２のセットの少なくとも一つのアンテナポートのために四つの直交コードのうち少なくとも一つの直交コードを適用する基準信号制御器と、
を含み、
前記Ｓ及びＮは自然数であり、前記Ｎは一つのリソースブロックに含まれた副搬送波の個数として副搬送波の個数の整数倍であり、全体アンテナポートの個数は、前記階層個数に基づくことを特徴とする基地局。
【請求項２】
一つのアンテナポートは、一つのＣＤＭ（Code Division Multiplexing）セットで４個のリソース要素を含むことを特徴とする請求項１に記載の基地局。
【請求項３】
前記少なくとも一つのアンテナポートのためのリソース要素は、各スロットの６番目及び７番目のＯＦＤＭシンボルに位置することを特徴とする請求項１に記載の基地局。
【請求項４】
前記第１のセットに含まれる第１のアンテナポートは、一つのＣＤＭセットで最初４個のリソース要素と第１の直交コードにマッピングされ、前記第１のセットに含まれる第２のアンテナポートは、一つのＣＤＭセットで前記最初４個のリソース要素と第２の直交コードにマッピングされ、前記第１のセットに含まれる第３のアンテナポートは、一つのＣＤＭセットで２番目の４個のリソース要素と前記第１の直交コードにマッピングされ、前記第１のセットに含まれる第４のアンテナポートは、一つのＣＤＭセットで前記２番目の４個のリソース要素と前記第２の直交コードにマッピングされることを特徴とする請求項１に記載の基地局。
【請求項５】
前記予め設定された個数は、４であることを特徴とする請求項１に記載の基地局。
【請求項６】
前記階層個数が前記予め設定された個数より小さいか同一である場合、前記二つの直交コードのそれぞれは［１、１］または［１、−１］に基づくことを特徴とする請求項１に記載の基地局。
【請求項７】
加入者端末であって、
一つまたはそれ以上のサブフレームで少なくとも一つの基準信号を受信する回路網を含むダウンリンク送信経路として、前記サブフレームの各々は二つのスロットを含み、前記スロットの各々はＳ個のＯＦＤＭ(Orthogonal Frequency Division Multiplexing)シンボルを含み、前記Ｓ個のＯＦＤＭシンボルの各々はＮ個の副搬送波を含み、各ＯＦＤＭシンボルの各副搬送波はリソース要素を構成するダウンリンク受信経路と、
階層個数が予め設定された個数より小さいか同一である場合、第１のセットの少なくとも一つのアンテナポートのために二つの直交コードのうち少なくとも一つの直交コードを適用し、前記階層個数が前記予め設定された個数より大きい場合、追加的に第２のセットの少なくとも一つのアンテナポートのために四つの直交コードのうち少なくとも一つの直交コードを適用する基準信号制御器と、
を含み、
前記Ｓ及びＮは自然数であり、前記Ｎは一つのリソースブロックに含まれた副搬送波の個数として副搬送波の個数の整数倍であり、全体アンテナポートの個数は、前記階層個数に基づくことを特徴とする加入者端末。
【請求項８】
一つのアンテナポートは、一つのＣＤＭ（Code Division Multiplexing）セットで４個のリソース要素を含むことを特徴とする請求項７に記載の加入者端末。
【請求項９】
前記少なくとも一つのアンテナポートのためのリソース要素は、各スロットの６番目及び７番目のＯＦＤＭシンボルに位置することを特徴とする請求項７に記載の加入者端末。
【請求項１０】
前記第１のセットに含まれる第１のアンテナポートは、一つのＣＤＭセットで最初４個のリソース要素と第１の直交コードにマッピングされ、前記第１のセットに含まれる第２のアンテナポートは、一つのＣＤＭセットで前記最初４個のリソース要素と第２の直交コードにマッピングされ、前記第１のセットに含まれる第３のアンテナポートは、一つのＣＤＭセットで２番目の４個のリソース要素と前記第１の直交コードにマッピングされ、前記第１のセットに含まれる第４のアンテナポートは、一つのＣＤＭセットで前記２番目の４個のリソース要素と前記第２の直交コードにマッピングされることを特徴とする請求項７に記載の加入者端末。
【請求項１１】
前記予め設定された個数は、４であることを特徴とする請求項７に記載の加入者端末。
【請求項１２】
前記階層個数が前記予め設定された個数より小さいか同一である場合、前記二つの直交コードのそれぞれは［１、１］または［１、−１］に基づくことを特徴とする請求項７に記載の加入者端末。
【請求項１３】
基地局が基準信号を伝送する方法であって、
階層個数が予め設定された個数より小さいか同一である場合、第１のセットの少なくとも一つのアンテナポートのために二つの直交コードのうち少なくとも一つの直交コードを適用するステップと、
前記階層個数が前記予め設定された個数より大きい場合、追加的に第２のセットの少なくとも一つのアンテナポートのために４個の直交コードのうち少なくとも一つの直交コードを適用するステップと、
一つまたはそれ以上のサブフレームで少なくとも一つの基準信号を伝送するステップと、
を含み、
前記サブフレームのそれぞれは二つのスロットを含み、前記スロットのぞれぞれはＳ個のＯＦＤＭ(Orthogonal Frequency Division Multiplexing)シンボルを含み、前記Ｓ個のＯＦＤＭシンボルのそれぞれはＮ個の副搬送波を含み、各ＯＦＤＭシンボルの各副搬送波はリソース要素を構成し、前記Ｓ及びＮは自然数であり、前記Ｎは一つのリソースブロックに含まれた副搬送波の個数として副搬送波の個数の整数倍であり、全体アンテナポートの個数は前記階層個数に基づくことを特徴とする基準信号伝送方法。
【請求項１４】
一つのアンテナポートは、一つのＣＤＭ（Code Division Multiplexing）セットで４個のリソース要素を含むことを特徴とする請求項１３に記載の基準信号伝送方法。
【請求項１５】
前記少なくとも一つのアンテナポートのためのリソース要素は、各スロットの６番目及び７番目のＯＦＤＭシンボルに位置することを特徴とする請求項１３に記載の基準信号伝送方法。
【請求項１６】
前記第１のセットに含まれる第１のアンテナポートは、一つのＣＤＭセットで最初４個のリソース要素と第１の直交コードにマッピングされ、前記第１のセットに含まれる第２のアンテナポートは、一つのＣＤＭセットで前記最初４個のリソース要素と第２の直交コードにマッピングされ、前記第１のセットに含まれる第３のアンテナポートは、一つのＣＤＭセットで２番目の４個のリソース要素と前記第１の直交コードにマッピングされ、前記第１のセットに含まれる第４のアンテナポートは、一つのＣＤＭセットで前記２番目の４個のリソース要素と前記第２の直交コードにマッピングされることを特徴とする請求項１３に記載の基準信号伝送方法。
【請求項１７】
前記予め設定された個数は、４であることを特徴とする請求項１３に記載の基準信号伝送方法。
【請求項１８】
前記階層個数が前記予め設定された個数より小さいか同一である場合、前記二つの直交コードのそれぞれは［１、１］または［１、−１］に基づくことを特徴とする請求項１３に記載の基準信号伝送方法。
【請求項１９】
加入者端末が基準信号を受信する方法であって、
階層個数が予め設定された個数より小さいか同一である場合、第１のセットの少なくとも一つのアンテナポートのために二つの直交コードのうち少なくとも一つの直交コードを適用するステップと、
前記階層個数が前記予め設定された個数より大きい場合、追加的に第２のセットの少なくとも一つのアンテナポートのために４個の直交コードのうち少なくとも一つの直交コードを適用するステップと、
一つまたはそれ以上のサブフレームで少なくとも一つの基準信号を受信するステップと、を含み、
前記サブフレームのそれぞれは二つのスロットを含み、前記スロットのぞれぞれはＳ個のＯＦＤＭ(Orthogonal Frequency Division Multiplexing)シンボルを含み、前記Ｓ個のＯＦＤＭシンボルのそれぞれはＮ個の副搬送波を含み、各ＯＦＤＭシンボルの各副搬送波はリソース要素を構成し、前記Ｓ及びＮは自然数であり、前記Ｎは一つのリソースブロックに含まれた副搬送波の個数として副搬送波の個数の整数倍であり、全体アンテナポートの個数は前記階層個数に基づくことを特徴とする基準信号受信方法。
【請求項２０】
一つのアンテナポートは、一つのＣＤＭ（Code Division Multiplexing）セットで４個のリソース要素を含むことを特徴とする請求項１９に記載の基準信号受信方法。
【請求項２１】
前記少なくとも一つのアンテナポートのためのリソース要素は、各スロットの６番目及び７番目のＯＦＤＭシンボルに位置することを特徴とする請求項１９に記載の基準信号受信方法。
【請求項２２】
前記第１のセットに含まれる第１のアンテナポートは、一つのＣＤＭセットで最初４個のリソース要素と第１の直交コードにマッピングされ、前記第１のセットに含まれる第２のアンテナポートは、一つのＣＤＭセットで前記最初４個のリソース要素と第２の直交コードにマッピングされ、前記第１のセットに含まれる第３のアンテナポートは、一つのＣＤＭセットで２番目の４個のリソース要素と前記第１の直交コードにマッピングされ、前記第１のセットに含まれる第４のアンテナポートは、一つのＣＤＭセットで前記２番目の４個のリソース要素と前記第２の直交コードにマッピングされることを特徴とする請求項１９に記載の基準信号受信方法。
【請求項２３】
前記予め設定された個数は、４であることを特徴とする請求項１９に記載の基準信号受信方法。
【請求項２４】
前記階層個数が前記予め設定された個数より小さいか同一である場合、前記二つの直交コードのそれぞれは［１、１］または［１、−１］に基づくことを特徴とする請求項１９に記載の基準信号受信方法。
【発明の詳細な説明】
【技術分野】
【０００１】
本発明は一般的に無線通信に関するものであって、特に基準信号(Reference  Signal：ＲＳ)パターン設計のための方法及びシステムに関する。
【背景技術】
【０００２】
第３の世代パートナシッププロジェクト(３ＧＰＰ)ＬＴＥ(Long Term Evolution)において、直交周波数分割多重化(Orthoognal Frequency Division Multiplexing：ＯＦＤＭ)は、ダウンリンク(ＤＬ)伝送方式として採択されている。
【発明の概要】
【発明が解決しようとする課題】
【０００３】
本発明の目的は、基地局を提供することにある。
【０００４】
また、本発明の目的は、加入者端末を提供することにある。
【課題を解決するための手段】
【０００５】
上記のような目的を達成するために、本発明の一態様によれば、基地局が提供される。上記基地局は、２つ又はそれ以上のサブフレームで複数の基準信号を伝送する回路網からなるダウンリンク送信経路を含む。サブフレームの各々は一つ又はそれ以上のリソースブロックを有する。リソースブロックの各々はＳ個のＯＦＤＭシンボルを有する。Ｓ個のＯＦＤＭシンボルの各々はＮ個の副搬送波を有し、各ＯＦＤＭシンボルの各副搬送波はリソース要素を含む。基地局は、第１のグループの複数の基準信号を基準信号パターンによって第１のサブフレームの選択されたリソース要素に割り当てる基準信号割り当て器をさらに含む。第１のグループの複数の基準信号は第１のグループのアンテナポートに向けたものである。基準信号割り当て器は、また第２のグループの複数の基準信号を同一の基準信号パターンによって第２のサブフレームの選択されたリソース要素に割り当てる。第２のグループの複数の基準信号は、第１のグループのアンテナポートと異なる第２のグループのアンテナポートに向けたものである。
【０００６】
本発明の他の態様によれば、加入者端末が提供される。上記加入者端末は、２つ又はそれ以上のサブフレームで複数の基準信号を受信する回路網からなるダウンリンク受信経路を含む。各サブフレームは、一つ又はそれ以上のリソースブロックを含む。リソースブロックの各々は、Ｓ個のＯＦＤＭシンボルを有する。Ｓ個のＯＦＤＭシンボルの各々は、Ｎ個の副搬送波を有し、各ＯＦＤＭシンボルの各副搬送波はリソース要素を有する。加入者端末は、基準信号パターンによって第１のサブフレームの選択されたリソース要素に割り当てられた第１のグループの複数の基準信号を受信する基準信号受信器をさらに含む。第１のグループの複数の基準信号は、第１のグループのアンテナポートに向けたものである。基準信号受信器は、また同一の基準信号パターンによって第２のサブフレームの選択されたリソース要素に割り当てられた第２のグループの複数の基準信号を受信する。第２のグループの複数の基準信号は、第１のグループのアンテナポートと異なる第２のグループのアンテナポートに向けたものである。
【０００７】
また、本発明の他の態様によれば、基地局が提供される。上記基地局は、一つ又はそれ以上のリソースブロックで複数の基準信号を伝送する回路網からなるダウンリンク送信経路を含む。リソースブロックの各々はＳ個のＯＦＤＭシンボルを有する。Ｓ個のＯＦＤＭシンボルの各々は、Ｎ個の副搬送波を含み、各ＯＦＤＭシンボルの各副搬送波はリソース要素を含む。基地局は、第１のグループのリソース要素を基準信号マッピングのために割り当てる基準信号割り当て器をさらに含む。第１のグループのリソース要素は第１のグループの基準信号を有する。第１のグループの基準信号は各々、第１のグループの階層(layer)から選択された各階層に対して割り当てられる。第１のグループの基準信号に割り当てられたすべての階層は第１の符号語にマッピングされる。基準信号割り当て器は、また基準信号マッピングのために第２のグループのリソース要素を割り当てる。第２のグループのリソース要素は第２のグループの基準信号を有する。第２のグループ基準信号の各々は、第２のグループの階層から選択された各階層に対して割り当てられる。第２のグループの基準信号に割り当てられたすべての階層は、第１の符号語と異なる第２の符号語にマッピングされる。
【０００８】
さらに、本発明の他の態様によれば、加入者端末が提供される。上記加入者端末は、一つ又はそれ以上のリソースブロックで複数の基準信号を受信する回路網からなるダウンリンク受信経路を含む。リソースブロックの各々は、Ｓ個のＯＦＤＭシンボルを含む。Ｓ個のＯＦＤＭシンボルの各々は、Ｎ個の副搬送波を含み、各ＯＦＤＭシンボルの各副搬送波はリソース要素を含む。加入者端末は、基準信号マッピングのために割り当てられる第１のグループのリソース要素を受信する基準信号受信器をさらに含む。第１のグループのリソース要素は第１のグループの基準信号を有する。第１のグループ基準信号の各々は、第１のグループの階層から選択された各階層に対して割り当てられる。第１のグループの基準信号に割り当てられたすべての階層は、第１の符号語にマッピングされる。基準信号受信器は、また基準信号マッピングのために割り当てられた第２のグループのリソース要素を受信する。第２のグループのリソース要素は、第２のグループの基準信号を有する。第２のグループの基準信号は、各々第２のグループの階層から選択された各階層に対して割り当てられる。第２のグループの基準信号に割り当てられたすべての階層は、第１の符号語と異なる第２の符号語にマッピングされる。
【０００９】
本発明の他の態様によれば、基地局が提供される。上記基地局は、リソースブロックで複数の基準信号を伝送する回路網からなるダウンリンク送信経路を含む。リソースブロックは、Ｓ個のＯＦＤＭシンボルを含む。Ｓ個のＯＦＤＭシンボルの各々は、Ｎ個の副搬送波を含み、各ＯＦＤＭシンボルの各副搬送波はリソース要素を含む。基地局は、第１のアンテナポートに該当する基準信号を伝送するためのリソースブロックの複数のリソース要素を割り当て、少なくとも部分的にリソースブロックでのアンテナポートの総数に基づいて第１のアンテナポートに該当する基準信号を伝送するために使用されるリソース要素の数を調整する基準信号割り当て器をさらに含む。
【００１０】
また、本発明の他の態様によれば、加入者端末が提供される。上記加入者端末は、一つ又はそれ以上のリソースブロックで複数の基準信号を受信する回路網からなるダウンリンク受信経路を含む。リソースブロックはそれぞれＳ個のＯＦＤＭシンボルを含む。Ｓ個のＯＦＤＭシンボルは各々Ｎ個の副搬送波を含み、各ＯＦＤＭシンボルの各副搬送波はリソース要素を含む。加入者端末は、第１のアンテナポートに該当する基準信号を伝送するために割り当てられたリソースブロックの複数のリソース要素を受信する基準信号受信器をさらに含む。第１のアンテナポートに該当する基準信号を伝送するために割り当てられたリソース要素の数は、少なくとも部分的にリソースブロックでのアンテナポートの総数に基づく。
【００１１】
なお、本発明の他の態様によれば、基地局が提供される。上記基地局は、２つまたはそれ以上のサブフレームで複数の基準信号を伝送する回路網からなるダウンリンク送信経路を含む。リソースブロックはＳ個のＯＦＤＭシンボルを含む。Ｓ個のＯＦＤＭシンボルの各々は、Ｎ個の副搬送波を含み、各ＯＦＤＭシンボルの各副搬送波はリソース要素を含む。基地局は、一つ又はそれ以上のアンテナポートに該当する基準信号を伝送するためのリソースブロックの複数のリソース要素を割り当て、複数のリソース要素を一つ又はそれ以上のリソース要素のグループに分類する基準信号割り当て器をさらに含む。リソース要素の各グループは同一の数のリソース要素を有する。一つ又はそれ以上のリソース要素のグループそれぞれの基準信号は、符号分割多重化(ＣＤＭ)を用いて多重化され、一つ又はそれ以上のリソース要素のグループのリソース要素の個数は少なくとも部分的にリソースブロックのランクに基づく。
【００１２】
さらに、本発明の他の態様によれば、加入者端末が提供される。上記加入者端末は、一つ又はそれ以上のリソースブロックで複数の基準信号を受信する回路網からなるダウンリンク受信経路を含む。リソースブロックの各々はＳ個のＯＦＤＭシンボルを含む。Ｓ個のＯＦＤＭシンボルは各々Ｎ個の副搬送波を含み、各ＯＦＤＭシンボルの各副搬送波はリソース要素を含む。加入者端末は、一つ又はそれ以上のアンテナポートに該当する基準信号を伝送するためのリソースブロックの複数のリソース要素を受信する基準信号受信器をさらに含む。複数のリソース要素は一つ又はそれ以上のリソース要素のグループに分類され、リソース要素の各グループは同一の数のリソース要素を有する。一つ又はそれ以上のグループのリソース要素それぞれの基準信号は、符号分割多重化(ＣＤＭ)を用いて多重化され、一つ又はそれ以上のリソース要素のグループでリソース要素の個数は少なくとも部分的にリソースブロックのランクに基づく。
【発明の効果】
【００１３】
本発明は、基準信号(ＲＳ)パターン設計のための方法及びシステムを提供することができる。
【図面の簡単な説明】
【００１４】
【図１】本発明の原理による、アップリンクでメッセージを伝送する望ましい無線ネットワークを示す図である。
【図２】本発明の一実施形態によるＯＦＤＭＡ送信部の概要図である。
【図３】本発明の一実施形態によるＯＦＤＭＡ受信部の概要図である。
【図４】本発明の一実施形態によるチャンネル品質情報(ＣＱＩ)基準信号パターンを示す図である。
【図５】本発明の一実施形態によるリソースブロックで４個までの送信アンテナポートチャンネルに対するパイロット信号を提供するＣＱＩ基準信号パターンを示す図である。
【図６】本発明の一実施形態によるＣＱＩ基準信号パターンがパイロットを提供するアンテナポートの交互セットを示す図である。
【図７】本発明の一実施形態によるユーザー端末(ＵＥ)の特定復調基準信号(ＤＭ ＲＳ)マッピングパターンを示す図である。
【図８】本発明の一実施形態によるＤＭ ＲＳリソース要素のサブセットが多重ストリーム(又は階層)に対するパイロットを提供するダウンリンク伝送に使用されるＤＭ ＲＳマッピングパターンを示す図である。
【図９】本発明の一実施形態によるストリーム当たりＤＭ ＲＳ密度が減少するＤＭ ＲＳマッピングパターンを示す図である。
【図１０】本発明の一実施形態によるリソースブロックで多重化したストリーム(又は階層)の数が一定限界に到達する場合に符号分割多重化(ＣＤＭ)がより多くのパイロット信号を多重化するために適用されるＤＭ ＲＳマッピングパターンを示す図である。
【図１１】本発明の一実施形態による符号分割多重化されたパイロット信号のマッピングを示す表１１００である。
【図１２】本発明の他の実施形態による符号分割多重化されたパイロット信号のマッピングを示す表である。
【図１３】本発明のもう一つの実施形態による符号分割多重化されたパイロット信号のマッピングを示す表である。
【図１４】本発明の一実施形態による加入者端末の動作方法を示す図である。
【図１５】本発明の一実施形態による加入者端末の別の動作方法を示す図である。
【発明を実施するための形態】
【００１５】
以下、本発明の望ましい実施形態を添付の図面を参照して詳細に説明する。
【００１６】
本発明の詳細な説明に先立ち、本明細書の全般で使われる用語及び語句を定義する。「〜含む(include)」、「〜からなる(comprise)」だけでなく、それらの派生語は限定のない包含を意味する。「または(or)」は及び/または(and/or)を含み、「〜に関連する(associated  with)」、「それに関連する(associated  therewith)」及びそれらの派生語句は、包含(include)、含まれる(be  included  within)、受容される(be  contained  within)、連結(connect  to  or  with)、接続(couple  to  or  with)、通信(be  communication  with)、協力(cooperate  with)、相互配置(interleave)、並置(juxtapose)、近接(be  approximate  to)、結合(be  bound  to  or  with)、所有(have)、性質の所有(have  a  property  of)、または類以(the  like)を意味する。「制御器(controller)」は少なくとも一つの動作を制御する装置、システム、またはその部分を意味し、そのような装置は、ハードウェア、ファームウェア、ソフトウェア、またはこれらのうちの少なくとも二つの組み合わせで具現することができる。特定の制御器に関連する機能は、集中しているか、あるいは局地的にまたは遠距離に分散されることもある。特定の用語及び語句は、本明細書の全体で使用されるが、当業者は、多くの場合に上述したような定義が適用されることを理解しなければならない。
【００１７】
後述される図１〜図１５及び、本発明の原理を説明するために使用される多様な実施形態は、単にその実施例を示すものに過ぎず、本発明の範囲を限定するものとして捉えてはならない。本発明の原理が適切に配列された無線通信システムで実現できることは、当該技術分野で通常の知識を有する者には明らかである。
【００１８】
次の説明について、下記で使用されるＬＴＥ用語“ｎｏｄｅ Ｂ”は、用語“基地局(base  station)”に対する別の用語であることに注意すべきである。また、ＬＴＥ用語“ユーザー端末(user  equipment)”又は“ＵＥ”は、下記に使用される“加入者端末(subscriber  station)”の別の用語である。
【００１９】
図１は、本発明の原理によるメッセージを伝送する望ましい無線ネットワーク１００を示す。図示された実施形態において、無線ネットワーク１００は、基地局(ＢＳ)１０１、基地局(ＢＳ)１０２、基地局(ＢＳ)１０３、及び他の類似した基地局(図示せず)を含む。
【００２０】
基地局１０１は、インターネット１３０または類似のＩＰベースのネットワーク(図示せず)と通信する。
【００２１】
基地局１０２は、複数の第１の加入者端末に基地局１０２のカバレッジ領域１２０内でインターネット１３０に対する無線広帯域アクセスを提供する。複数の第１の加入者端末は、小企業(Small  Business：ＳＢ)に位置される加入者端末１１１、エンタープライズ(enterprise：Ｅ)に位置される加入者端末１１２、ＷｉＦｉホットスポット(ＨＳ)に位置される加入者端末１１３、第１の居住地(Residence：Ｒ)に位置される加入者端末１１４、第２の居住地(Ｒ)に位置される加入者端末１１５、及び携帯電話、無線ラップトップ、無線ＰＤＡのような移動装置(Ｍ)に該当する加入者端末１１６を含む。
【００２２】
基地局１０３は、そのカバレッジ領域１２５内の複数の第２の加入者端末にインターネット１３０に対する無線広帯域アクセスを提供する。複数の第２の加入者端末は、加入者端末１１５及び加入者端末１１６を含む。望ましい実施形態では、基地局１０１〜１０３は、ＯＦＤＭ又はＯＦＤＭＡ技術を使用して基地局間に通信ができ、加入者端末１１１〜１１６と通信できる。
【００２３】
図１には６個の加入者端末のみを示したが、無線ネットワーク１００は、追加的な加入者端末に無線広帯域アクセスを提供できることがわかる。加入者端末１１５及び加入者端末１１６は、カバレッジ領域１２０及びカバレッジ領域１２５双方の縁（edge）に位置されることに注意すべきである。当該技術分野でよく知らされているように、加入者端末１１５及び加入者端末１１６は、基地局１０２及び基地局１０３と各々通信し、ハンドオフモードで動作できる。
【００２４】
加入者端末１１１〜１１６は、インターネット１３０を介して音声、データ、ビデオ、テレビ会議(video  conferencing)、及び/又は他の広帯域サービスにアクセスできる。望ましい実施形態において、一つ又はそれ以上の加入者端末１１１〜１１６は、ＷｉＦｉ  ＷＬＡＮのアクセスポイント(ＡＰ)に接続することができる。加入者端末１１６は、無線通信が可能なラップトップコンピュータ、個人用携帯情報端末(ＰＤＡ)、ノートパソコン、携帯用デバイス、又は他の無線通信が可能な装置を含む複数の移動装置のうちいずれか一つであり得る。加入者端末１１４及び１１５は、例えば、無線通信が可能なＰＣ、ラップトップコンピュータ、ゲートウェイ、又は他の装置であり得る。
【００２５】
図２は、直交周波数分割多重接続(Orthogonal  Frequency  Division  Multiple  Access：ＯＦＤＭＡ)送信経路２００の概要図である。図３は、直交周波数分割多重接続(ＯＦＤＭＡ)受信経路３００の概要図である。図２及び図３において、例示及び説明の目的のために、ＯＦＤＭＡ送信経路２００が基地局１０２により実現され、ＯＦＤＭＡ受信経路３００が加入者端末１１６により実現されているに過ぎない。しかしながら、ＯＦＤＭＡ受信経路３００が基地局１０２によっても実現され、ＯＦＤＭＡ送信経路２００が加入者端末１１６によっても実現され得ることは、本発明が属する技術分野における当業者には明らかなことである。
【００２６】
基地局１０２の送信経路２００は、チャンネル符号化及び変調ブロック２０５、直-並列(S-to-P)ブロック２１０、サイズＮの逆高速フーリエ変換(Inverse  Fast  Fourier  Transform：ＩＦＦＴ)ブロック２１５、並-直列(P-to-S)ブロック２２０、サイクリックプレフィックス付加ブロック２２５、アップコンバータ(Up-Converter：ＵＣ)２３０、基準信号マルチプレクサ２９０、及び基準信号割り当て器２９５を含む。
【００２７】
加入者端末１１６の受信経路３００は、ダウンコンバータ(Down-Converter：ＤＣ)２５５、サイクリックプレフィックス除去ブロック２６０、直-並列(S-to-P)ブロック２６５、サイズＮの高速フーリエ変換(Fast  Fourier  Transform：ＦＦＴ)ブロック２７０、並-直列(P-to-S)ブロック２７５、及びチャンネル復号化及び復調ブロック２８０を含む。
【００２８】
図２及び図３の構成要素のうち少なくとも一部は、ソフトウェアで実現できる一方、他の構成要素は、設定可能な（configurable）ハードウェアまたはソフトウェアと設定可能な（configurable）ハードウェアの組み合わせによって実現することができる。特に、本発明で説明されるＦＦＴブロック及びＩＦＦＴブロックは設定可能なソフトウェアアルゴリズムとして実現されることができ、サイズＮの値は実装により変化しうる。
【００２９】
さらに、高速フーリエ変換及び逆高速フーリエ変換を実現する実施形態を開示しているが、これは単に例示であり、本発明の範囲を限定するものではない。本発明の他の実施形態で、高速フーリエ変換機能及び逆高速フーリエ変換機能は、離散フーリエ変換(Discrete  Fourier  Transform：ＤＦＴ)機能及び逆離散フーリエ変換(Inverse  Discrete  Fourier  Transform：ＩＤＦＴ)機能により、各々容易に代替できる。ＤＦＴ及びＩＤＦＴ機能に対して変数Ｎの値は任意の整数(すなわち、１，２，３，４など)である反面、ＦＦＴ及びＩＦＦＴ機能に対して変数Ｎの値は２の累乗である任意の整数(すなわち、１，２，４，８，１６など)であり得る。
【００３０】
基地局１０２において、チャンネル符号化及び変調ブロック２０５は、１セットの情報ビットを受信し、符号化(例えば、ターボ符号化)を適用し、周波数-ドメイン変調シンボルのシーケンスを生成するために入力ビットを変調(例えば、ＱＰＳＫ、ＱＡＭ)する。直-並列ブロック２１０は、直列変調されたシンボルを並列データに変換(すなわち、逆多重化)してＮ個の並列シンボルストリームを生成する。ここで、Ｎは、基地局１０２及び加入者端末１１６で使用されるＩＦＦＴ/ＦＦＴサイズである。その後に、サイズＮのＩＦＦＴブロック２１５は、時間-ドメイン出力信号を生成するためにＮ個の並列シンボルストリームにＩＦＦＴ動作を遂行する。並-直列ブロック２２０は、サイズＮのＩＦＦＴブロック２１５からの並列時間-ドメイン出力シンボルを変換(例えば、多重化)してシリアル時間-ドメイン信号を生成する。すると、サイクリックプレフィックス付加ブロック２２５は、サイクリックプレフィックスを時間-ドメイン信号に挿入する。その結果、ＵＣ２３０は、無線チャンネルを介する伝送のためにサイクリックプレフィックス付加ブロック２２５の出力をＲＦ周波数に変換(すなわち、アップコンバート)する。また、上記信号は、ＲＦ周波数への変換以前に基底帯域でフィルタリングされ得る。一部の実施形態において、基準信号マルチプレクサ２９０は、符号分割多重化(Code  Division  Multipexing：ＣＤＭ)又は時間/周波数分割多重化(Time/Frequency  Division  Multiplexing：ＴＦＤＭ)を用いて基準信号を多重化するように動作できる。基準信号割り当て器２９５は、ＯＦＤＭ信号での基準信号を本発明の方法及びシステムによって動的に割り当てるように動作できる。
【００３１】
伝送されたＲＦ信号は、無線チャンネル及び基地局１０２で遂行される逆動作を通過した後に加入者端末１１６に到達する。ダウンコンバータ(ＤＣ)２５５は、受信された信号を基底帯域周波数にダウンコンバートし、サイクリックプレフィックス除去ブロック２６０は、シリアル時間-ドメインベースバンド信号を生成するために、サイクリックプレフィックスを除去する。直-並列ブロック２６５は、時間-ドメインベースバンド信号を並列時間-ドメイン信号に変換する。サイズＮのＦＦＴブロック２７０は、ＦＦＴアルゴリズムを遂行してＮ個の並列周波数-ドメイン信号を生成する。並-直列ブロック２７５は、並列周波数-ドメイン信号を変調された一連のデータシンボルに変換する。チャンネル復号化及び復調ブロック２８０は、元の入力データストリームに復元するために、変調されたシンボルを復調及び復号化する。
【００３２】
基地局１０１〜１０３は、各々ダウンリンクで加入者端末１１１〜１１６に伝送することに機能上類似した送信経路を実現でき、アップリンクで加入者端末１１１〜１１６から受信することに機能上類似した受信経路を実現できる。同様に、加入者端末１１１〜１１６の各々は、アップリンクで基地局１０１〜１０３に伝送するための構成に該当する送信経路を実現でき、ダウンリンクで基地局１０１〜１０３から受信するための構成に該当する受信経路を実現できる。
【００３３】
本発明は、基準信号(ＲＳ）パターン設計に対する方法及びシステムを開示する。
【００３４】
ＯＦＤＭシステムにおける全体帯域幅は、副搬送波(subcarrier)と呼ばれる狭帯域周波数ユニットに分割される。副搬送波の数は、システムで使用されるＦＦＴ/ＩＦＦＴのサイズＮと同一である。一般的に、周波数スペクトルの縁にある一部の副搬送波が保護副搬送波として予約されているので、データのために使用される副搬送波の数はＮより小さい。一般的に、保護副搬送波には情報が伝送されない。
【００３５】
リソースブロックの各ダウンリンク(ＤＬ)スロットの伝送信号は、副搬送波
0005580398.tif 000002
【００３６】
のリソースグリッド及びＯＦＤＭシンボル
0005580398.tif 000003
【００３７】
により示される。この量
0005580398.tif 000004
【００３８】
はセルに構成されるダウンリンク伝送帯域幅に基づき、
0005580398.tif 000005
【００３９】
を満たす。ここで、
0005580398.tif 000006
【００４０】
及び
0005580398.tif 000007
【００４１】
は、各々サポートされる最小及び最大ダウンリンク帯域幅である。一部の実施形態では、副搬送波は、変調可能な最小要素と見なされる。
【００４２】
多重アンテナ伝送の場合に、アンテナポート当たり一つのリソースグリッドが定義される。
【００４３】
アンテナポートＰに対するリソースグリッドでの各要素は、リソース要素(ＲＥ)と呼ばれ、スロットのインデックス対(ｋ,ｌ)により固有に識別される。ここで、
0005580398.tif 000008
【００４４】
及び
0005580398.tif 000009
【００４５】
は、各々周波数及び時間ドメインのインデックスである。アンテナポートＰ上にリソース要素(ｋ,ｌ）は複素数
0005580398.tif 000010
【００４６】
に該当する。混同の危険がなく、あるいは特定のアンテナポートが明示されない場合、インデックスＰは省略されてもよい。
【００４７】
ＬＴＥにおいて、ＤＬ基準信号(ＲＳ)は、２つの目的のために使われる。第１に、ＵＥは、ＤＬ  ＲＳを用いるチャンネル品質情報(ＣＱＩ)、ランク情報(ＲＩ)、及びプリコーダマトリックス情報(Precoder  Matrix  Information：ＰＭＩ)を推定する。第２に、それぞれのＵＥは、ＤＬ  ＲＳを使用するためのＤＬ伝送信号を復調する。また、ＤＬ  ＲＳは、セル特定ＲＳ、単一周波数ネットワークを通じたマルチメディア放送(Multi-media  Broadcast  over  a  Single  Frequency  Network：ＭＢＳＦＮ)ＲＳ、及びＵＥ特定ＲＳまたは専用ＲＳ(ＤＲＳ)のような３個のカテゴリーに分けられる。
【００４８】
セル特定基準信号(又は共通基準信号：ＣＲＳ)は、非ＭＢＳＦＮ伝送をサポートするセルのすべてのダウンリンクサブフレームで伝送される。サブフレームがＭＢＳＦＮ伝送に使用されると、サブフレームの最初の数個(０、１または２個)のＯＦＤＭシンボルは、セル特定基準シンボルの伝送に使用されてもよい。表記Ｒｐは、アンテナポートＰ上に基準信号の伝送に使用されるリソース要素を表すために使われる。
【００４９】
ＵＥ特定基準信号(又は専用ＲＳ：ＤＲＳ))は、物理ダウンリンク共有チャンネル(Physical  Downlink  Shared  Channel：ＰＤＳＣＨ)の単一アンテナポート伝送のためにサポートされ、アンテナポート５上に伝送される。ＵＥは、ＵＥ特定基準信号が存在するか、及びこの信号がＰＤＳＣＨ復調に対する有効位相基準であるか否かを上位階層から通知を受ける。ＵＥ特定基準信号は、該当ＰＤＳＣＨがマッピングされるリソースブロックのみに伝送される。
【００５０】
ＬＴＥシステムの時間リソースは、１０ｍｓｅｃ毎のフレームに分割され、各フレームは１ｍｓｅｃ毎の１０個のサブフレームにさらに分割される。サブフレームは、０.５ｍｓｅｃ毎に２個の時間スロットに分割される。サブフレームは、周波数ドメインで複数のリソースブロック(ＲＢ）に分割され、ＲＢは１２個の副搬送波で構成される。
【００５１】
本発明の一実施形態において、ＣＱＩ基準信号(ＣＱＩ ＲＳ）マッピングパターンは、２個のスロット(又は一つのサブフレーム)にわたった一つのリソースブロック(ＲＢ)内の１セットのリソース要素(ＲＥ）として定義される。ここで、パターンは、システム帯域幅のサブセット又はＲＢのセットで毎ＲＢを反復する。
【００５２】
特定の実施形態では、ＣＱＩ ＲＳ  ＲＥは一つのサブフレームのＲＢで一つのスロット又は２つのスロットに存在する。
【００５３】
図４は、本発明の一実施形態によるＣＱＩ基準信号パターンを示す。
【００５４】
図４において、斜線で表示されているリソース要素４０１は、復調(ＤＭ)ＲＳ ＲＥを示す。リソースブロック４０３は、ＣＱＩ ＲＳ ＲＥがＲＢの２つのスロットすべてに存在する一例を示す。リソースブロック４０３に示すように、ＣＱＩ ＲＳパターンは、偶数スロットにおいてＯＦＤＭシンボル５で現れ、奇数スロットにおいてＯＦＤＭシンボル３で現れる。もちろん、リソースブロック４０３に示すパターンと類似したＤＭ  ＲＳマッピングパターンは、ＤＭ  ＲＳ  ＲＥに対する相互に異なるＯＦＤＭシンボルを選択することにより構成できることは、本発明が属する技術分野における通常の知識を持つ者には明らかである。リソースブロック４０５は、ＣＱＩ ＲＳ ＲＥがＲＢで一つのスロットのみに存在する一例を示す。リソースブロック４０５で、ＣＱＩ ＲＳパターンは、奇数スロットのＯＦＤＭシンボル３である一つのスロットでＣＱＩ ＲＳ ＲＥを有する。
【００５５】
本発明の一実施形態において、ＣＱＩ ＲＳマッピングパターンは、多重送信(Ｔｘ)アンテナポートチャンネルに対する受信部でチャンネル状態情報(ＣＳＩ)を推定するために提供される。ここで、ＣＳＩは、チャンネル品質情報(ＣＱＩ)、順位情報(ＲＩ)、プリコーディングマトリックス情報(ＰＭＩ)、及びチャンネル方向情報(ＣＤＩ)などを含む。
【００５６】
図５は、本発明の一実施形態によるリソースブロックで４個までの伝送アンテナポートチャンネルに対するパイロット信号を提供するＣＱＩ基準信号パターンを示す。
【００５７】
番号ｉでラベリングされたＣＱＩ ＲＳ ＲＥの各セットは、アンテナポートｉに対するパイロット信号を搬送する。ここで、ｉ＝０，１，２，３である。本発明の一実施形態で、一つのＣＱＩ ＲＳパターンは、異なるサブフレームでアンテナポートの異なるセットのために使用される。例えば、リソースブロック５０１及び５０３で、ＣＱＩ ＲＳパターンは、一部のサブフレームでアンテナポート０，１，２，３に対するパイロットを伝送するために使用される。一方、リソースブロック５０５及び５０７に示すように、他のサブフレームで、同一のＣＱＩ ＲＳパターンは、アンテナポート４，５，６，７のために使用され、ここで、４，５，６，７は各々０，１，２，３で標識されたＲＳ ＲＥにマッピングされる。
【００５８】
本発明の一実施形態において、ＣＱＩサブフレーム(すなわち、ＣＱＩ ＲＳが伝送されるサブフレーム）は、周期的に(例えば、５サブフレームごとに)、あるいは非周期的に設定される。ＣＱＩ ＲＳサブフレームに対する周期及びオフセットは、放送シグナリングによって又はセルＩＤ及びサブフレーム番号の陰関数によって設定することができる。特定の実施形態では、セルＩＤを周期で割った余りは、ＣＱＩ ＲＳサブフレームオフセットとなる。例えば、ＣＱＩ ＲＳサブフレーム周期は、放送された値によって５個のサブフレームになるように設定される。この場合、セルＩＤ２を有するセルはサブフレーム２及び７でＣＱＩ ＲＳを有する一方で、セルＩＤ３を有するセルはサブフレーム３及び８でＣＱＩ ＲＳを有する。
【００５９】
図６は、本発明の一実施形態によるＣＱＩ基準信号パターンがパイロットを提供する他のセットのアンテナポートを示す。
【００６０】
一部の実施形態において、時間内にサブフレームが進むことによってＣＱＩ ＲＳパターンがパイロットを提供するアンテナポートのセットが交互に提供される。例えば、第１のＣＱＩ ＲＳサブフレームでポート０及び１に対するパイロットが伝送され、第２のＣＱＩ ＲＳサブフレームでポート２及び３に対するパイロットが伝送され、第３のＣＱＩ ＲＳサブフレームでポート４及び５に対するパイロットが伝送され、第４のＣＱＩ ＲＳサブフレームでポート６及び７に対するパイロットが伝送され、第５のＣＱＩ ＲＳサブフレームでポート０及び１に対するパイロットが再び伝送される。図６に示す他の例において、第１のＣＱＩ ＲＳサブフレーム(サブフレーム２)で、ポート０，１，２，３に対するパイロットは、リソースブロック５０１のＣＱＩ ＲＳパターンを用いて伝送される。第２のサブフレーム(サブフレーム３)で、ポート４，５，６，７に対するパイロットが伝送される。第３のサブフレーム(サブフレーム７)で、ポート０，１，２，３に対するパイロットが伝送される。第４のサブフレーム(サブフレーム８)で、ポート４，５，６，７に対するパイロットが伝送される。
【００６１】
追加的な実施形態で、アンテナポートのセットに対するＣＱＩ ＲＳ ＲＥを含むＣＱＩサブフレームの各グループは、周期的に(例えば、５個のサブフレームごとに)、あるいは非周期的に設定されてもよい。
【００６２】
一実施形態において、ＣＱＩ ＲＳサブフレームのすべてのグループに対する周期及びオフセットは、放送シグナリング又はセルＩＤ及びサブフレーム番号の陰関数によって設定することができる。
【００６３】
他の実施形態において、ＣＱＩ ＲＳサブフレームの(第１のグループで表示される)一つのグループに対する周期及びオフセットは、放送シグナリング又はセルＩＤ及びサブフレーム番号の陰関数により設定される一方、ＣＱＩ ＲＳサブフレームの他のグループに対する周期及びオフセットは、シグナリングによって暗黙的に表される。
【００６４】
特定の実施形態において、ＣＱＩ ＲＳサブフレームのすべての他のグループの周期は、第１のグループと同一である。第２のグループのオフセットは、第１のグループのオフセットより１だけ大きく、第３のグループのオフセットは第１のグループのオフセットより２だけ大きい。このような方法で計算されたオフセット値が周期より大きい場合には、サブフレームオフセットは、以前のオフセット値から周期を減算して得られた値として再計算される。
【００６５】
例えば、図６に示すように、ＣＱＩ ＲＳサブフレーム周期は放送された値によって５個のサブフレームに設定される。この場合に、セルＩＤ２を有するセルはアンテナポート０，１，２，３に対するＣＱＩ ＲＳを伝送するためのサブフレーム２及び７でＣＱＩ ＲＳを有する。また、第２のグループに対する例示的なオフセット規則によって、このセルは、サブフレーム３及び８でアンテナポート４，５，６，７に対するＣＱＩ ＲＳを有する。
【００６６】
他の実施形態において、周期及びオフセットによって決定されたＣＱＩ ＲＳサブフレームが１次同期信号(Primary  Synchronization  Signal：ＰＳＳ）サブフレーム又は２次同期信号(Secondary  Sychronization  Signal：ＳＳＳ）サブフレームである場合に、ＰＳＳ/ＳＳＳサブフレームでＣＱＩ ＲＳは省略され、ＰＳＳ/ＳＳＳサブフレーム直後に伝送され、あるいはＰＳＳ/ＳＳＳサブフレームのＲＳのサブセットで伝送されることができ、ＰＳＳ/ＳＳＳ関連信号は伝送されない。
【００６７】
図７は、本発明の一実施形態によるＵＥ特定復調基準信号(ＤＭ ＲＳ)のマッピングパターンを示す。
【００６８】
ＵＥ特定復調基準信号(ＤＭ ＲＳ)マッピングパターンは、一つのリソースブロック(ＲＢ)での１セットのリソース要素(ＲＥ）を意味する。ここで、パターンは、伝送で割り当てられたすべてのＲＢで反復される。ＲＢのセットは、単一ＵＥ又は複数のＵＥに伝送のために割り当てられてもよい。図７では、斜線で表示されているリソース要素７０１は、ＤＭ ＲＳ ＲＥを示す。リソースブロック７０３で、同一のＤＭ ＲＳマッピングパターンは、２スロットのＯＦＤＭシンボル５及び６に適用される。もちろん、本発明の技術分野に属する当業者は、リソースブロック７０３に示すパターンと類似したＤＭ  ＲＳマッピングパターンがＤＭ  ＲＳ ＲＥに対して異なるＯＦＤＭシンボルを選択することにより構成されることがわかる。リソースブロック７０５で、同一のＤＭ  ＲＳマッピングパターンがリソースブロック７０３と異なるＯＦＤＭシンボルに適用される。リソースブロック７０５で、ＤＭ  ＲＳマッピングパターンは、奇数スロットでＯＦＤＭシンボル２及び３に適用される。
【００６９】
図８は、本発明の一実施形態によるダウンリンク伝送に使用されるＤＭ  ＲＳマッピングパターンを示し、１サブセットのＤＭ  ＲＳリソース要素は多重ストリーム(又は階層)に対するパイロットを提供する。
【００７０】
リソースブロック８０１及び８０２で、番号ｉで表示したＤＭ  ＲＳ ＲＥの各セットは、ストリームｉに対するパイロット信号を搬送する。ここで、ｉ＝０，１，２，３である。図示のように、リソースブロック８０１のＤＭ  ＲＳパターンは、ＲＢで４個までの多重ストリーム(又は階層)に対するパイロット信号を提供するために使用される一方、リソースブロック８０３のＤＭ  ＲＳパターンは一つのストリームに対するパイロット信号を提供するために使用される。一部の実施形態で、ストリーム(又は階層）の数がｎ≦４である場合に、ｎ−１までの数で標識されたＤＭ  ＲＳ ＲＥは、パイロット信号を搬送するために使用される反面、他のＤＭ  ＲＳ ＲＥはデータシンボルを搬送するために使用される。例えば、伝送ランク１と共に、または一つのストリームのみがＵＥに伝送される場合に、０で標識されたＤＭ  ＲＳ ＲＥのみがＵＥに対するパイロット信号を搬送する一方、１，２，３で標識された他のＤＭ  ＲＳ ＲＥはデータシンボルを搬送する。
【００７１】
図９は、本発明の一実施形態によるストリーム当たりＤＭ  ＲＳ密度が減少するＤＭ  ＲＳマッピングパターンを示す。
【００７２】
本発明の追加的な実施形態において、ＤＭ  ＲＳマッピングパターンは、異なる数の伝送されたストリーム(または階層）と同一に維持される一方で、ストリーム当たりＲＳ密度は、ＲＢで多重化されたストリーム(または階層）の総数が一定の限界に至る場合に減少し、あるいは弱くなる。例えば、リソースブロック８０１のＤＭ  ＲＳパターンは、４個のストリーム(又は階層)の各々に対する４個までのパイロット信号を提供するために使用される。より高い数の伝送された全体ストリームに対して、ストリーム当たりＤＭ  ＲＳ密度は、リソースブロック９０１のＤＭ  ＲＳパターンに示すように低下する。リソースブロック９０１で、ストリーム当たりＲＳ ＲＥの個数は２であり、これはリソースブロック８０１のＤＭ  ＲＳパターン密度の半分である。
【００７３】
もちろん、リソースブロックで特定アンテナポートに対して割り当てられたリソース要素の総数は、ストリーム又は階層の総数もリソースブロックでアンテナポートの総数を表すように、上記したようにリソースブロックでアンテナポートの総数によって増加または減少することができることは、本発明が属する技術分野における通常の知識を持つ者には明らかである。
【００７４】
図１０は、本発明の一実施形態によるリソースブロックで多重化されたストリームの数が一定限界に至った場合に、符号分割多重化(ＣＤＭ)がより多くのパイロット信号に適用されるＤＭ  ＲＳマッピングパターンを示す。
【００７５】
本発明の他の実施形態において、ＤＭ  ＲＳマッピングパターンは、伝送されたストリームの異なる数と同一に維持される一方、符号分割多重化(ＣＤＭ)は、ＲＢで多重化されたストリームの数が所定の限界値に到達した場合により多くのパイロット信号を多重化するために適用される。特に、ＤＭ  ＲＳマッピングパターンでのＤＭ  ＲＳ ＲＥは、複数のグループ(例えば、２個のグループ)に分割され、１個のグループのＲＳ ＲＥは、時間周波数グリッドでスタガードパターン(staggered  pattern）を有する。
【００７６】
特定の実施形態では、偶数(２ｎ)個のストリームがＲＢで多重化される場合に、ストリームは、同一の個数(ｎ）のストリームの２個グループに分割される。その後、ウォルシュカバーは、各グループ内のｎ個のストリームに割り当てられる。ＤＭ  ＲＳマッピングパターンでＤＭ  ＲＳ ＲＥが同一の数のグループ(すなわち、２個のグループ）に分割される場合に、ストリームの各グループに対するｎ個のパイロットは、適用されたウォルシュカバーと共にＤＭ  ＲＳ ＲＥの各セット上にマッピングされる。
【００７７】
奇数(２ｎ＋１)個のストリームがＲＢで多重化される場合、ストリームは、サイズｎ及びｎ＋１の２個のグループに分割される。ここで、受信器(例えば、連続する干渉除去(Successive  Interference  Cancellation：ＳＩＣ)受信器)でより先に復号化されるストリームはより小さなサイズのグループに割り当てられ、他のストリームはより大きいサイズのグループに割り当てられる。ＤＭ  ＲＳパターンでＤＭ  ＲＳ ＲＥは、また２個のセットに分割される。その後、ｎ及びｎ＋１サイズのウォルシュカバーは、２個のグループのストリームに各々割り当てられ、ストリームの各グループに対するパイロットはウォルシュカバーリングが遂行され、ＤＭ  ＲＳ ＲＥの各セット上にマッピングされる。
【００７８】
一例において、リソースブロック８０１のＤＭ  ＲＳパターンは、４個のストリームの各々に対する４個までのパイロット信号を提供するために使用される。より高い数の伝送されたストリームに対して、リソースブロック１００１のＤＭ  ＲＳパターンで示すように、ＣＤＭは、４個のＲＳ ＲＥ(すなわち、拡散因子＝４）の各グループに適用される。この特定例では、長さ４である４個のウォルシュカバー、Ｗ０＝[１１１１]、Ｗ１＝[１-１１-１]、Ｗ２＝[１-１-１１]、及びＷ３＝[-１１１-１]が存在する。一つのウォルシュカバーは、各ストリームに対して与えられる。その後、送信器は、各ストリームのウォルシュカバーを、長さ４シーケンスを提供するストリームのパイロットシンボルに適用する。このような長さ４シーケンスは、(Ａ１,Ａ２,Ａ３,Ａ４)又は(Ｂ１,Ｂ２,Ｂ３,Ｂ４）でラベリングされたＤＭ  ＲＳ ＲＥにマッピングされる。
【００７９】
図１１は、本発明の一実施形態による符号分割多重化されたパイロット信号のマッピングを示す表１１００である。
【００８０】
特定の実施形態において、より小さいインデックスを有するストリームは、受信器側でより大きいインデックスを有する他のストリームより遅れることなく復号化されなければならない。表１１００に示すように、５個のストリームがＤＭ  ＲＳ ＲＥ(Ａ１,Ａ２,Ａ３,Ａ４)に多重化される場合、アンテナポート１がパイロット信号Ｗ１＝[１-１１-１]を伝送する間にアンテナポート０はパイロット信号Ｗ０＝[１１１１]を伝送する。
【００８１】
図１２は、本発明の他の実施形態による符号分割多重化されたパイロット信号のマッピングを示す表１２００である。
【００８２】
特定例において、表１２００は、長さ２のウォルシュカバー(又は拡散因子＝２)Ｗ０＝[１１]及びＷ１＝[１-１]を有するリソースブロック１００１のＤＭ  ＲＳパターンを簡単に表示する。表１２００に示すように、５個のストリームがＤＭ  ＲＳ ＲＥ(Ａ１,Ａ２,Ａ３,Ａ４)に多重化される場合に、アンテナポート０及び１はパイロット信号Ｗ０＝[１１]を伝送する。
【００８３】
図１３は、本発明のもう一つの実施形態による符号分割多重化されたパイロット信号のマッピングを示す表１３００である。
【００８４】
この実施形態で、より小さい数のストリームが存在する場合、ＣＤＭはＤＭ  ＲＳパターンに適用される。特定の例において、ＤＭ  ＲＳパターンでＤＭ  ＲＳ ＲＥは、複数のグループ(例えば、２個のグループ)に分割され、１個のグループで隣接した２個のＤＭ  ＲＳ ＲＥは長さ２のウォルシュカバーでカバーリングされるＣＤＭウォルシュに対して対を成す。一つのグループのＲＳ ＲＥは、時間周波数グリッドでスタガードパターンを有する。例えば、ストリームの数が５より小さい場合には、長さ２のウォルシュ符号を有するリソースブロック１００３のＤＭ  ＲＳパターンが使用される。表１３００に示すように、４個のストリームがＤＭ  ＲＳ ＲＥ(Ａ１,Ａ２)に多重化される場合、アンテナポート１がパイロット信号Ｗ１＝[１-１]を伝送する間にアンテナポート０はパイロット信号Ｗ０＝[１１]を伝送する。
【００８５】
図１４は、本発明の一実施形態による加入者端末の動作方法を示す。
【００８６】
方法１４００は、一つまたはそれ以上のリソースブロックで複数のパイロット基準信号を、ダウンリンク受信経路を通じて受信するステップを有する(ブロック１４０１)。各リソースブロックはＳ個のＯＦＤＭシンボルを含み、Ｓ個のＯＦＤＭシンボルの各々はＮ個の副搬送波を含み、各ＯＦＤＭシンボルの各副搬送波はリソース要素を含む。方法１４００は、基準信号パターンによって第１のチャンネル品質情報(ＣＱＩ)基準信号サブフレームの第１のリソースブロックの選択されたリソース要素に割り当てられた複数のパイロット基準信号の第１のグループを、基準信号受信器を通じて受信するステップを有する(ブロック１４０３)。複数のパイロット基準信号の第１のグループは、アンテナポートの第１のグループに向けたものである。方法１４００は、同一の基準信号パターンによって第２のＣＱＩ基準信号サブフレームの第２のリソースブロックの選択されたリソース要素に割り当てられた複数のパイロット基準信号の第２のグループを、基準信号受信器を通じて受信するステップをさらに有する(ブロック１４０５)。 複数のパイロット基準信号の第２のグループは、上記アンテナポートの第１のグループとは異なるアンテナポートの第２のグループに向けたものである。
【００８７】
図１５は、本発明の一実施形態による加入者端末を動作させる他の方法を示す。
【００８８】
方法１５００は、一つまたはそれ以上のリソースブロックで複数のパイロット基準信号を、ダウンリンク受信経路を通じて受信するステップを有する(ブロック１５０１)。各リソースブロックはＳ個のＯＦＤＭシンボルを含み、Ｓ個のＯＦＤＭシンボルの各々はＮ個の副搬送波を含み、各ＯＦＤＭシンボルの各副搬送波はリソース要素を含む。また、方法１５００は、基準信号パターンによってリソースブロックの選択されたリソース要素に割り当てられる複数の基準信号を、基準信号受信器を通じて受信するステップを有する。複数の基準信号は、一つまたはそれ以上のアンテナポートに該当する。この複数の基準信号は、２つまたはそれ以上の基準信号のグループに分割される。一つまたはそれ以上のアンテナポートに該当する一つまたはそれ以上のストリームは、同一数のストリームグループに分割される。ウォルシュカバーは、各ストリームのグループ内の各ストリームに適用される。ストリームのグループに該当するパイロット基準信号のそれぞれに対して、パイロット基準信号は、適用されたウォルシュカバーと共に基準信号の該当グループにマッピングされる(ブロック１５０３)。
【００８９】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図１】
0005580398.tif 000011
【図２】
0005580398.tif 000012
【図３】
0005580398.tif 000013
【図４】
0005580398.tif 000014
【図５】
0005580398.tif 000015
【図６】
0005580398.tif 000016
【図７】
0005580398.tif 000017
【図８】
0005580398.tif 000018
【図９】
0005580398.tif 000019
【図１０】
0005580398.tif 000020
【図１１】
0005580398.tif 000021
【図１２】
0005580398.tif 000022
【図１３】
0005580398.tif 000023
【図１４】
0005580398.tif 000024
【図１５】
0005580398.tif 000025